【手続補正書】
【提出日】平成25年4月9日(2013.4.9)
【手続補正１】
【補正対象書類名】特許請求の範囲
【補正対象項目名】全文
【補正方法】変更
【補正の内容】
【特許請求の範囲】
【請求項１】
１台以上の投影装置から構成される投影システムであって、
各投影装置が、
画像を投影面に投影する投影手段と、
前記投影手段により前記投影面に投影された画像の所定の位置を前記投影面に合焦させるフォーカス手段
とを有し、
前記投影システムが前記各投影装置により投影された部分画像を投影面で合成することで一つの画像を投影する構成である場合、前記各投影装置の前記フォーカス手段は、前記各投影装置の投影する部分画像の位置に応じた位置に前記所定の位置を設定することを特徴とした投影システム。
【請求項２】
前記フォーカス手段は、前記投影システムが前記各投影装置により投影された部分画像を投影面で合成することで一つの画像を投影する構成である場合、前記投影面に投影される一つの画像の中央寄りに前記所定の位置を設定することを特徴とする請求項１に記載の投影システム。
【請求項３】
前記フォーカス手段は、前記投影手段により投影されたテストパターンを撮像し撮像された画像に基づいて合焦を行い、
前記投影手段は、前記投影システムが前記各投影装置により投影された部分画像を投影面で合成することで一つの画像を投影する構成である場合、前記テストパターンの投影される位置を前記各投影装置の投影する部分画像の位置に応じた位置にすることを特徴とする請求項１又は２に記載の投影システム。
【請求項４】
前記フォーカス手段は、前記投影面との距離、並びに、前記投影手段の光学ズーム量及びフォーカス位置を用いて、合焦動作を行うことを特徴とする請求項１乃至４の何れか１項に記載の投影システム。
【請求項５】
１台以上の投影装置から構成される投影システムにより画像を投影する方法であって、
各投影装置は、投影手段と、前記投影手段により投影面に投影された画像の所定の位置を前記投影面に合焦させるフォーカス手段を有し、
前記投影システムが前記各投影装置により投影された部分画像を投影面で合成することで一つの画像を投影する構成である場合に、前記所定の位置を、前記各投影装置が投影する画像の前記投影面での位置に応じた位置に設定することを特徴とする投影方法。
【請求項６】
前記投影システムが前記各投影装置により投影された部分画像を投影面で合成することで一つの画像を投影する構成である場合、前記投影面に投影される一つの画像の中央寄りに前記所定の位置を設定することを特徴とする請求項５に記載の投影方法。
【請求項７】
画像を投影面に投影する投影手段と、
前記投影手段により前記投影面に投影される画像の所定の位置を前記投影面に合焦させるフォーカス手段
とを有する投影装置であって、
前記フォーカス手段は、他の投影装置により投影された部分画像に対して自機の投影する部分画像を前記投影面上で合成して１つの画像を形成するモードに設定されたことに応じて、自機の投影する部分画像の位置に対応する位置に前記所定の位置を設定する
ことを特徴とする投影装置。
【請求項８】
前記フォーカス手段は、他の投影装置により投影された部分画像に対して自機の投影する部分画像を前記投影面上で合成して１つの画像を形成するモードに設定されたことに応じて、前記投影面上で合成される一つの画像の中央寄りに前記所定の位置を設定することを特徴とする請求項７に記載の投影装置。
【請求項９】
前記フォーカス手段は、前記投影手段により投影されたテストパターンを撮像し撮像された画像に基づいて合焦を行い、
前記投影手段は、他の投影装置により投影された部分画像に対して自機の投影する部分画像を前記投影面上で合成して１つの画像を形成するモードに設定されたことに応じて、自機の投影する部分画像に対応する位置に前記テストパターンを投影する
ことを特徴とする請求項７又は８に記載の投影装置。
【請求項１０】
前記フォーカス手段は、投影面との距離、並びに、前記投影手段の光学ズーム量及びフォーカス位置を用いて、合焦動作を行うことを特徴とする請求項７乃至９の何れか１項に記載の投影装置。
【請求項１１】
画像を投影面に投影する投影手段と、
前記投影手段により前記投影面に投影される画像の所定の位置を前記投影面に合焦させるフォーカス手段
とを有する投影装置であって、
前記フォーカス手段は、他の投影装置により投影された部分画像に対して自機の投影する部分画像を前記投影面上で合成して１つの画像を形成するモードに設定された場合と、自機のみで一つの画像を投影する場合とで、前記所定の位置を異ならせることを特徴とする投影装置。
【請求項１２】
前記フォーカス手段は、他の投影装置により投影された部分画像に対して自機の投影する部分画像を前記投影面上で合成して１つの画像を形成するモードに設定されたことに応じて、前記投影面上で合成される一つの画像の中央寄りに前記所定の位置を設定することを特徴とする請求項１１に記載の投影装置。
【請求項１３】
前記フォーカス手段は、自機のみで一つの画像を投影するモードに設定されたことに応じて、前記投影手段により投影される画像の中央を前記所定の位置に設定することを特徴とする請求項１１に記載の投影装置。
【請求項１４】
前記フォーカス手段は、前記投影手段により投影されたテストパターンを撮像し撮像された画像に基づいて合焦を行い、
前記投影手段は、他の投影装置により投影された部分画像に対して自機の投影する部分画像を前記投影面上で合成して１つの画像を形成するモードに設定された場合と、自機のみで一つの画像を投影する場合とで、前記テストパターンの投影位置を異ならせる
ことを特徴とする請求項１１から１３のいずれか１項に記載の投影装置。
【請求項１５】
画像を投影面に投影する投影ステップと、
前記投影ステップにより前記投影面に投影される画像の所定の位置を前記投影面に合焦させるフォーカスステップであって、他の投影装置により投影された部分画像に対して自機の投影する部分画像を前記投影面上で合成して１つの画像を形成するモードに設定された場合と、自機のみで一つの画像を投影する場合とで、前記所定の位置を異ならせるフォーカスステップ
とを有することを特徴とする投影方法。
【請求項１６】
前記フォーカスステップは、他の投影装置により投影された部分画像に対して自機の投影する部分画像を前記投影面上で合成して１つの画像を形成するモードに設定されたことに応じて、前記投影面上で合成される一つの画像の中央寄りに前記所定の位置を設定することを特徴とする請求項１５に記載の投影方法。
【請求項１７】
前記フォーカスステップは、自機のみで一つの画像を投影するモードに設定されたことに応じて、前記投影手段により投影される画像の中央を前記所定の位置に設定することを特徴とする請求項１５に記載の投影方法。
【請求項１８】
前記フォーカスステップは、前記投影ステップにより投影されたテストパターンを撮像し撮像された画像に基づいて合焦を行い、
前記投影ステップは、他の投影装置により投影された部分画像に対して自機の投影する部分画像を前記投影面上で合成して１つの画像を形成するモードに設定された場合と、自機のみで一つの画像を投影する場合とで、前記テストパターンの投影位置を異ならせる
ことを特徴とする請求項１５から１７のいずれか１項に記載の投影方法。
【手続補正２】
【補正対象書類名】明細書
【補正対象項目名】発明の名称
【補正方法】変更
【補正の内容】
【発明の名称】投影システム、投影方法及び投影装置
【手続補正３】
【補正対象書類名】明細書
【補正対象項目名】０００１
【補正方法】変更
【補正の内容】
【０００１】
本発明は、複数台を組み合わせて大画像を投影表示する投影システム、投影方法及び投影装置に関する。
【手続補正４】
【補正対象書類名】明細書
【補正対象項目名】０００８
【補正方法】変更
【補正の内容】
【０００８】
例えば、２台のプロジェクタを横に並べ、各プロジェクタにそれぞれ１画面の右半分及び左半分を投影させるマルチ投影では、各投射画像をスクリーン上に横に並べることで、画面サイズを横に２倍にすることができる。図２は、その投影画面例を示す。２００は投影面となるスクリーンである。２０１は第一のプロジェクタ（非図示）の投影画面である。２０２は第二のプロジェクタ（非図示）の投影画面である。図２では、２つの投影画面２０１，２０２とで一つのマルチ投影画面を構成する。
【手続補正５】
【補正対象書類名】明細書
【補正対象項目名】００１１
【補正方法】変更
【補正の内容】
【００１１】
本発明は、このような要望を満たすべくなされたものであり、単一での投影時とマルチ投影時とでそれぞれに適したフォーカス調整が可能な投影システム、投影方法及び投影装置を提示することを目的とする。
【手続補正６】
【補正対象書類名】明細書
【補正対象項目名】００１２
【補正方法】変更
【補正の内容】
【００１２】
この様な課題を解決するために、本発明に係る投影システムは、１台以上の投影装置から構成される投影システムであって、各投影装置が、画像を投影面に投影する投影手段と、前記投影手段により前記投影面に投影された画像の所定の位置を前記投影面に合焦させるフォーカス手段とを有し、前記投影システムが前記各投影装置により投影された部分画像を投影面で合成することで一つの画像を投影する構成である場合、前記各投影装置の前記フォーカス手段は、前記各投影装置の投影する部分画像の位置に応じた位置に前記所定の位置を設定することを特徴とする。
【手続補正７】
【補正対象書類名】明細書
【補正対象項目名】００１３
【補正方法】変更
【補正の内容】
【００１３】
本発明に係る投影方法は、１台以上の投影装置から構成される投影システムにより画像を投影する方法であって、各投影装置は、投影手段と、前記投影手段により投影面に投影された画像の所定の位置を前記投影面に合焦させるフォーカス手段を有し、前記投影システムが前記各投影装置により投影された部分画像を投影面で合成することで一つの画像を投影する構成である場合に、前記所定の位置を、前記各投影装置が投影する画像の前記投影面での位置に応じた位置に設定することを特徴とする。
【手続補正８】
【補正対象書類名】明細書
【補正対象項目名】００２０
【補正方法】変更
【補正の内容】
【００２０】
１１０は、ＰＣ（パーソナルコンピュータ）、ＤＶＤプレイヤ又はテレビチューナ等の映像ソースからアナログ映像信号を受け付けるアナログ入力部であり、ＲＧＢ端子又はＳ端子等を具備する。１１１は、アナログ入力部１１０からのアナログ映像信号をデジタル信号に変換するＡＤ変換部である。１１２は、映像ソースからデジタル映像信号を受け付けるデジタル入力部であり、ＨＤＭＩ（登録商標）端子等を具備する。ＨＤＭＩ端子の場合、外部から制御信号も同時に送信されてくることがあり、これにより、映像表示の制御等が行われることもある。デジタル入力部１１２により入力される映像信号及び画像信号は直接、画像処理部１１７に送信される。
【手続補正９】
【補正対象書類名】明細書
【補正対象項目名】００４４
【補正方法】変更
【補正の内容】
【００４４】
構成情報としては更に、スタック構成の場合は台数が、マルチ投影の場合は台数及び分担の情報が、夫々必要となる。図７は、マルチ投影の更なる構成情報をユーザに入力させるメニュー画面例を示す。図７に示すメニュー９００は、メニュー８００でマルチ投影の選択肢８０４を選択したときに、続けて表示される。
【手続補正１０】
【補正対象書類名】明細書
【補正対象項目名】００５７
【補正方法】変更
【補正の内容】
【００５７】
各部分画面２２１，２２２において、シングル投影として扱う場合には、各部分画面２２１，２２２の中央２２３，２２４にフォーカスをあわせるのが一般的である。他方、マルチ投影での望ましい投影面上のフォーカス位置は中心位置２２５である。従って、上下の部分画面２２１，２２２を担当するプロジェクタは、それぞれ図９に示す位置Ｈ，Ｂで最も鮮鋭度が高くなるようにフォーカスをあわせるのがよい。すなわち、図２から図４で説明したように、複数のプロジェクタを用いて一つの画像を投影するマルチ投影の場合は、各プロジェクタの担当する画像同士をつなぎ合わせる位置にフォーカス位置をあわせるのがよい。すなわち、マルチ投影の場合は、各プロジェクタの担当する画像の中央にそれぞれフォーカスさせるのではなく、それぞれのプロジェクタを用いて表示する画像の中央方向にフォーカス位置をそれぞれ変更するのがよい。